(57)【要約】【課題】  土壌に多数の種子を播種するときの作業負担を軽減すると共に、播種後に乾燥期間が続いたときに種子が乾燥枯死するのを低減できる植栽シート及び植栽方法を提供する。【解決手段】  植栽シート１０は、一定方向に網目状の切り込み１２が形成された２枚のカットシート１４、１６を備えている。２枚のカットシート１４、１６の間には、複数の種子１８と複数の保水剤２０が分散されて接着されており、これらを保持した状態で２枚のカットシート１４、１６が接着剤で貼り合わされている。植栽シート１０を切り込み１２の方向と直角方向に引っ張ると、切り込み１２が開いて開口１２Ａが形成され、植栽シート１０が伸張する。この状態で、植栽シート１０を土壌に被せて鋤き込むことで、複数の種子１８が土壌に播種される。種子１８が発根、発芽する際には保水剤２０によって水分が供給される。【選択図】  図１
2006333786.tif 000002
【特許請求の範囲】
【請求項１】
複数の切り込みが形成され、前記切り込みが開口することで伸張が可能な少なくとも２枚以上のカットシートの間に、
複数の種子と複数の保水剤が分散されて保持されていることを特徴とする植栽シート。
【請求項２】
複数の前記切り込みは、一定方向に位置をずらして網目状に形成されていることを特徴とする請求項１に記載の植栽シート。
【請求項３】
前記種子と前記保水剤は前記カットシートに接着剤で接着されていることを特徴とする請求項１又は請求項２に記載の植栽シート。
【請求項４】
前記保水剤は、複数の高吸水性樹脂の粒からなることを特徴とする請求項１から請求項３までのいずれか１項に記載の植栽シート。
【請求項５】
請求項１から請求項４までのいずれか１項に記載の植栽シートを前記切り込みが開口するように伸張させ、
前記植栽シートを土壌の上に被せるようにして鋤き込み、
前記植栽シートのほぼ全面を少量の土で覆うことを特徴とする植栽方法。
【請求項６】
請求項１から請求項４までのいずれか１項に記載の複数の植栽シートを前記切り込みが開口するように伸張させ、
複数の前記植栽シートを所定間隔で土壌の上に被せるようにして鋤き込み、
複数の前記植栽シートの間の土壌中に花の球根又は種を植え、
複数の前記植栽シートのほぼ全面を少量の土で覆うことを特徴とする植栽方法。
【請求項７】
土壌中に所定間隔で花の球根又は種を植え、
請求項１から請求項４までのいずれか１項に記載の複数の植栽シートを前記切り込みが開口するように伸張させ、
前記花の球根又は種を植えた土壌の上から複数の前記植栽シートを被せるようにして鋤き込み、
複数の前記植栽シートのほぼ全面を少量の土で覆うことを特徴とする植栽方法。
【発明の詳細な説明】
【技術分野】
【０００１】
本発明は、植栽場所となる土壌に植物の種子を播種して植生するための植栽シート、及びこの植栽シートを用いた植栽方法に関する。
【背景技術】
【０００２】
従来、草花などの植物の種子を土壌に播種するときは、多数の種子を人手によって直接土壌に播種することが行われている。しかし、広範囲の土壌に多数の種子を直接播種するのは作業が煩雑で手間がかかると共に、多種の種子をほぼ均一に播くことが難しい。
【０００３】
その対策として、例えば、１枚の連続したカバーシート上に、種子と肥料をぼぼ等間隔で配置して、可溶解樹脂板によって一体的に固着させたものが提案されている（例えば特許文献１を参照）。
【０００４】
このカバーシートを土床（土壌）の上を覆うように敷設することで、多数の種子を種播する際の手間を軽減できると共に、多数の種子をほぼ均一に播種することができる。
【特許文献１】特開平１１−１２３００６号公報
【発明の開示】
【発明が解決しようとする課題】
【０００５】
しかし、特許文献１に記載のカバーシートでは、発芽しにくい種子の場合に、種子を播種して少量の降雨があった後、長期（例えば、最低でも１週間〜１５日以上）の乾燥期間が発生すると、初期発根した根が乾燥枯死することが多い。これは、種子を土床に播種すると、種子から発根した後、数日（例えば、１週間〜１５日）を経てから発芽するため、発根から発芽までの間に乾燥期間が発生することで、発芽に至らずに乾燥枯死することが原因と考えられる。このため、種子の発芽確率が低下してしまい、植物を植生することができないという問題がある。また、道路の中央部や歩道、及び公園などに植栽する公共事業の場合は、常時撒水することができないため、乾燥枯死の問題がより顕著となる。
【０００６】
本発明は、上記問題点に鑑みてなされたものであり、播種場所となる土壌に多数の種子を播種するときの作業負担を軽減する共に、播種後に乾燥期間が続いても種子の発芽確率を向上することができる植栽シート及び植栽方法を提供することを目的とする。
【課題を解決するための手段】
【０００７】
上記課題を解決するために、請求項１に記載の発明に係る植栽シートは、複数の切り込みが形成され、前記切り込みが開口することで伸張が可能な少なくとも２枚以上のカットシートの間に、複数の種子と複数の保水剤が分散されて保持されていることを特徴としている。
【０００８】
請求項１に記載の発明によれば、カットシートに複数の切り込みが形成されており、切り込みが開口することで伸張が可能となっている。植栽シートは、少なくとも２枚以上のカットシートの間に、複数の種子と複数の保水剤が分散されて保持されており、この植栽シートを伸張させて土壌上に被せることで、複数の種子が土壌に播種される。このため、広範囲の土壌に多数の種子を播種する際の作業負担を軽減することが可能となる。また、種子を播種した後、保水剤によって種子に水分が補給させるので、少量の降雨後に乾燥期間が続いても、種子が乾燥枯死するのを低減することが可能となる。これにより、種子の発芽確率が向上し、撒水などの手間をかけることなく植物を植生することが可能となる。
【０００９】
請求項２に記載の発明に係る植栽シートは、請求項１に記載の植栽シートにおいて、複数の前記切り込みは、一定方向に位置をずらして網目状に形成されていることを特徴としている。
【００１０】
請求項２に記載の発明によれば、カットシートには、一定方向に位置をずらして網目状の切り込みが形成されているので、切り込みと直角方向に植栽シートの両端部を引っ張ることで、網目状の切り込みが開口し、植栽シートを伸張させることができる。このため、簡単な構成によって植栽シートを大きく伸張させることができ、植栽シートの小型化が可能となる。また、網目状の開口が形成されるので、土壌中での日照、通気性、及び吸水性などを確保することができる。
【００１１】
請求項３に記載の発明に係る植栽シートは、請求項１又は請求項２に記載の植栽シートにおいて、前記種子と前記保水剤は前記カットシートに接着剤で接着されていることを特徴としている。
【００１２】
請求項３に記載の発明によれば、種子と保水剤はカットシートに接着剤で接着されており、切り込みを開口させて植栽シートを伸張したときに、種子と保水剤が開口から落下するのが防止される。このため、複数の種子を落下させることなく土壌に播種することができると共に、保水剤が落下しないので、種子に十分な水分を補給することが可能となる。
【００１３】
請求項４に記載の発明に係る植栽シートは、請求項１から請求項３までのいずれか１項に記載の植栽シートにおいて、前記保水剤は、複数の高吸水性樹脂の粒からなることを特徴としている。
【００１４】
請求項４に記載の発明によれば、保水剤は、複数の高吸水性樹脂の粒からなり、複数の高吸水性樹脂が土壌中の水分や雨水を吸収して膨潤することで、水分が保持される。これにより、複数の高吸水性樹脂から複数の種子に水分を供給することが可能となり、播種後に乾燥期間が続いても、種子が乾燥枯死するのをより一層低減できる。
【００１５】
請求項５に記載の発明に係る植栽方法は、請求項１から請求項４までのいずれか１項に記載の植栽シートを前記切り込みが開口するように伸張させ、前記植栽シートを土壌の上に被せるようにして鋤き込み、前記植栽シートのほぼ全面を少量の土で覆うことを特徴としている。
【００１６】
ここで、鋤き込むとは、土壌の中へ植栽シートが椀状となるように埋め込むことをいう。
【００１７】
請求項５に記載の発明によれば、植栽シートを一定方向に伸張した後、この植栽シートを土壌の上に被せるようにして鋤き込む。そして、植栽シートのほぼ全面を少量の土で覆うことで、複数の種子を土壌に播種することができる。このため、複数の種子を土壌に播種する際の手間が少なく、作業負担を軽減できると共に、播種後に乾燥期間が続いても保水剤により水が供給され、種子が乾燥枯死するのを低減することが可能となる。
【００１８】
請求項６に記載の発明に係る植栽方法は、請求項１から請求項４までのいずれか１項に記載の複数の植栽シートを前記切り込みが開口するように伸張させ、複数の前記植栽シートを所定間隔で土壌の上に被せるようにして鋤き込み、複数の前記植栽シートの間の土壌中に花の球根又は種を植え、複数の前記植栽シートのほぼ全面を少量の土で覆うことを特徴としている。
【００１９】
請求項６に記載の発明によれば、複数の植栽シートを一定方向に伸張し、所定間隔で土壌の上に被せるようにして鋤き込む。そして、複数の植栽シートの間に花の球根又は種を植え、植栽シートのほぼ全面を少量の土で覆う。これにより、複数の種子を土壌に播種する際の作業負担を軽減できると共に、播種後に乾燥期間が続いても種子が乾燥枯死するのを低減することが可能となる。また、複数の植栽シートの間に植えた花の球根又は種から芽が出て花が咲くので、見栄えよく植栽することが可能となる。
【００２０】
請求項７に記載の発明に係る植栽方法は、土壌中に所定間隔で花の球根又は種を植え、請求項１から請求項４までのいずれか１項に記載の複数の植栽シートを前記切り込みが開口するように伸張させ、前記花の球根又は種を植えた土壌の上から複数の前記植栽シートを被せるようにして鋤き込み、複数の前記植栽シートのほぼ全面を少量の土で覆うことを特徴としている。
【００２１】
請求項７に記載の発明によれば、土壌中に所定間隔で花の球根又は種を植えた後、複数の植栽シートを一定方向に伸張し、花の球根又は種を植えた土壌の上から複数の植栽シートを被せるようにして鋤き込む。そして、複数の植栽シートのほぼ全面を少量の土で覆う。これにより、複数の種子を土壌に播種する際の作業負担を軽減できると共に、播種後に乾燥期間が続いても種子が乾燥枯死するのを低減することが可能となる。また、植栽シートの開口から花の球根又は種の芽が伸び、花が咲くので、見栄えよく植栽することが可能となる。
【発明の効果】
【００２２】
本発明に係る植栽シート及び植栽方法によれば、植栽シートを伸張させて土壌に被せるように埋め込むことで、複数の種子を土壌に播種する際の作業負担を軽減できると共に、播種後に乾燥期間が続いても種子が乾燥枯死するのを低減できる。
【発明を実施するための最良の形態】
【００２３】
以下、本発明の植栽シートにおける最良の実施の形態を図面に基づいて説明する。
【００２４】
図１（Ａ）には、本発明の第１実施形態に係る植栽シートが示されている。
【００２５】
この植栽シート１０は、一定方向（図１中の縦方向）に位置をずらして網目状の切り込み１２が形成されたカットシート１４を備えており、このカットシート１４の背面側に、同じく網目状の切り込み１２が形成させたカットシート１６が配置され、２枚のカットシート１４、１６が貼り合わされている。本実施形態では、カットシート１４、１６は、比較的吸水性のある茶色（無漂白）の平面状の紙からなり、剛性が小さく、クッション性を有している。なお、カットシート１４、１６は、エンボス加工によってクッション性を持たせても良い。
【００２６】
なお、カットシート１４、１６は、紙に限らずプラスチック製のシートを用いても良い。例えば、土壌中で微生物により分解して炭酸ガスと水になる性質を有する生分解性樹脂からなるシートを用いても良い。生分解性樹脂としては、例えばポリ乳酸系樹脂などが用いられる。
【００２７】
また、切り込み１２は、直線状のカットが網目状に配置されたものであり、本実施形態では、カットの長さが約１２ｍｍ、カット間の間隔（図１中の縦方向）が約３ｍｍ、隣り合うカット間の間隔（図１中の横方向）が約２ｍｍとなっている。なお、このカット寸法は適宜に設定可能である。
【００２８】
図１（Ｂ）は、２枚のカットシート１４、１６の貼り合わせ面を展開した図である。
【００２９】
２枚のカットシート１４，１６の間には、複数の種子１８と複数の保水剤２０が分散されて配置され、これらが接着剤（図示省略）でカットシート１４，１６の表面に接着されている。本実施形態では、保水剤２０の数は種子１８の数より少ないが、この構成に限定するものではなく、保水剤２０と種子１８の数が同数でも、保水剤２０の数が多くても構わない。
【００３０】
保水剤２０は、水分を吸収して膨潤する性質を有する高吸水性樹脂の粒からなる。高吸水性樹脂としては、水分を取り込みやすいように架橋度を下げた高分子樹脂などが用いられ、例えば、デンプン−アクリロニトリル共重合体、ポリアクリル酸塩、デンプン−アクリル酸共重合体、酢酸ビニル−アクリル酸エステル共重合体けん化物、ポリエチレンオキシド誘導体などが用いられる。本実施形態では、保水剤２０として、高吸水性樹脂に肥料、成長促進剤、キャリアなどをブレンドした土壌改良剤であるテラコッテム（ベルギーのテラコッテム社製）が用いられている。
【００３１】
種子１８には、植物の種の周りに泥成分をコーティングしたものが用いられている。なお、泥成分をコーティングしない種子を用いても構わない。本実施形態では、種子１８として、発芽しにくいダイカンドラ（ディコンドラとも言う。ヒルガオ科の多年草の種）の種が用いられている。
【００３２】
本実施形態では、複数の種子１８や複数の保水剤２０がランダムに配置されているが、ほぼ等間隔で配置してもよい。また、植栽シート１０の大きさは、ユーザーの手の平サイズよりも若干大きい長方形に形成されており、本実施形態では、図１（Ａ）中の縦方向の長さが約１００ｍｍ、横方向の長さが約１３５ｍｍとなっている。なお、この寸法は適宜に設定可能である。
【００３３】
このような植栽シート１０は、網目状の切り込み１２が入ったカットシート１４に、接着剤をスプレー塗布し、複数の種子１８を分散させて接着すると共に、複数の保水剤２０を分散させて接着する。その後、カットシート１４の接着剤が塗布された面に、ほぼ同じ寸法のカットシート１６を貼り合わせることによって、植栽シート１０が完成する。これにより、簡単な工程で植栽シート１０を製造することができる。
【００３４】
次に、植栽シート１０の作用であって、本発明の第１実施形態である植栽方法について説明する。
【００３５】
図２に示すように、ユーザーが植栽シート１０の両端部を切り込み１２の方向と直角方向（図２中の矢印方向）に引っ張ると、切り込み１２が開いて開口１２Ａが形成され、植栽シート１０が矢印方向に伸張する。
【００３６】
この状態で、図３に示すように、植栽シート１０をユーザーの手で植栽場所である土壌２の上に被せるように載置し、植栽シート１０を手の平で押して土壌２中に鋤き込む。これにより、植栽シート１０が土壌２の中へ椀状となるように埋め込まれる。このとき、植栽シート１０の伸張方向と手の平の長手方向が合致するように植栽シート１０を把持することで、植栽シート１０が伸張方向に沿って湾曲するため、土壌２になじみやすく、土壌２中に鋤き込みやすくなる。また、植栽シート１０を図２中の矢印方向に伸張させたとき、種子１８と保水剤２０が接着剤で固着（接着）されているので、種子１８や保水剤２０が切り込み１２の間から落下するのを防止できる。また、植栽シート１０を伸張させたときに、切り込み１２が開いて開口１２Ａが形成されるので、日照や通気性が良好で空気や水分が供給されやすくなり、種子１８の光合成が促進され、発芽しやすいという利点もある。
【００３７】
図４（Ａ）に示すように、複数の植栽シート１０を土壌２上に一定間隔で鋤き込む。その後、図４（Ｂ）に示すように、植栽シート１０の全体を覆うように少量の土４を被せる。これにより、土壌２への複数の種子１８の播種が完了する。このとき、新たに被せた土４の上から撒水する必要はない。
【００３８】
図４（Ｃ）に示すように、種子１８を播種した後、約２０℃の状態で約１日過ぎると、複数の種子１８が発根し、根２２が出てくる。このとき、カットシート１４、１６に開口１２Ａが形成されているので、根２２がカットシート１４、１６の間に留まることなく土壌２中に伸びる。また、保水剤２０が土壌２中の水分や降雨の際の雨水を吸収し、膨潤してくる。
【００３９】
図４（Ｄ）に示すように、種子１８が発根した後、約２０℃の状態で１週間〜１０日過ぎると、複数の種子１８が発芽し、芽２４が出てくる。このとき、カットシート１４、１６に開口１２Ａが形成されているので、芽２４がカットシート１４、１６の間に留まることなく土壌２の表面側に伸びる。
【００４０】
このような植栽シート１０では、種子１８を播種した後、少量の降雨後に乾燥期間が続いても、土壌中の水分や雨を吸水した保水剤２０から種子１８に十分な水が供給されるので、種子１８が発根した後に乾燥枯死することが少ない。このため、発芽しにくい種子１８であっても発芽確率を著しく向上させることができる。また、道路や公園などの公共事業において定期的に撒水することが困難な場合でも、種子１８の発芽確率を向上して容易に植生させることができ、管理が容易となる。また、植栽シート１０を伸張させて土壌２にすき込みことで、広い範囲の土壌２に種子１８を播種する際の手間が少なく、作業負担を軽減することができる。また、この植栽シート１０は、製造後に３〜４年を経過しても使用可能であるので、保存が容易で需要に迅速に対応できる。
【００４１】
次に、本発明の第２実施形態である植栽シートを用いた植栽方法について説明する。
【００４２】
なお、第１実施形態と同一の部材には同一の符号を付し、重複した説明は省略する。
【００４３】
図５（Ａ）に示すように、本実施形態の植栽方法では、土壌２に鋤き込んだ複数の植栽シート１０の間に花の球根２８を植え、その上部を覆うように土４を被せる。種子１８がダイカンドラであると大きな花が咲かないため、緑草（ダイカンドラ）の間に花を植えたい場合に有効な植栽方法である。本実施形態では、球根２８として、例えば、ワイセイスイセンなどが用いられる。また、球根２８に代えて、花の種を植えても良い。
【００４４】
図５（Ｂ）に示すように、植栽シート１０の種子１８から根２２が出た後に芽２４が出てくる。これと同時に、球根２８からも根３０が出た後に芽３２が出てくる。その後、芽２４、３２が成長していくと、緑草の間に球根２８の花が咲き、見栄えが良く植栽できる。このような植栽方法は、道路の中央部や側部、公園などで草花を植栽するときに好適に用いることができる。
【００４５】
このような植栽方法では、撒水管理をほとんど必要とせずにダイカンドラなどの種子１８を生育させることができ、雑草を抑制できると共に、球根２８により花を咲かせることができる。このため、見栄え良く植栽できると共に、播種の際の作業負担や管理負担を軽減でき、メンテナンスの費用を削減できる。
【００４６】
また、図６に示すように、複数の球根３４を所定の間隔で土壌２に植え、その上から植栽シート１０を鋤き込んでも良い。球根３４から出た芽３２が成長すると、紙からなるカットシート１４、１６の切り込み１２の部分を突き破り、芽３２が更に成長していく。また、植栽シート１０の保水剤２０の量を増やすことで、球根３４の発芽の際にも十分に水を供給できるという利点がある。
【００４７】
なお、第１及び第２実施形態の植栽シート１０は、ユーザーの手の平より若干大きい寸法であったが、本発明はこの構成に限定するものではない。例えば、植栽シートを広い面積で形成し、伸張して土壌２に敷設して鋤き込むことで、広範囲の土壌２に播種することができ、ユーザーの作業負担をより一層軽減できる。
【００４８】
なお、上記実施形態の植栽シート１０では、カットシート１４、１６の間に種子１８、保水剤２０が保持されているが、これらに加えて肥料成分、殺虫成分などを保持させても良い。これにより、植物の生育のために必要な肥料を供給できると共に、虫などによって植物が枯れるのを防止することが可能である。また、必要に応じて防腐剤、土壌改良剤などを適宜添加しても良い。
【００４９】
なお、上記実施形態の植栽シート１０では、直線状にカットされた網目状の切り込み１２が形成されているが、この構成に限定するものではない。複数の切り込みは、植栽シート１０が一定方向に伸張可能な構成であれば良く、例えば、一定方向にずらしてカットされた複数のＳ字状の切り込みなどを適宜に設定可能である。
【図面の簡単な説明】
【００５０】
【図１】本発明の第１実施形態に係る植栽シートを示す平面図及び接着面を展開した図である。
【図２】図１に示す植栽シートを一定方向に伸ばした状態を示す図である。
【図３】図１に示す植栽シートを用いた植栽方法を示す図であって、植栽シートを土壌にすき込んだ状態を示す図である。
【図４】図１に示す植栽シートを用いた植栽方法であって、本発明の第１実施形態に係る植栽方法を示す断面図である。
【図５】本発明の第２実施形態に係る植栽方法を示す断面図である。
【図６】本発明の第２実施形態の変形例に係る植栽方法を示す断面図である。
【符号の説明】
【００５１】
２     土壌
４     土
１０   植栽シート
１２   切り込み
１２Ａ 開口
１４   カットシート
１６   カットシート
１８   種子
２０   保水剤
２２   根
２４   芽
２８   球根
３０   根
３２   芽
３４   球根
Ｂ     接着剤
【図１】
2006333786.tif 000003
【図２】
2006333786.tif 000004
【図３】
2006333786.tif 000005
【図４】
2006333786.tif 000006
【図５】
2006333786.tif 000007
【図６】
2006333786.tif 000008